(57)【特許請求の範囲】
【請求項１】
冷蔵庫本体に冷蔵室、野菜室、冷凍室を設けるとともに、前記野菜室と冷凍室との両室に跨ってこれらの背面に冷却室を設け、かつ、前記冷却室に冷気を生成する冷却器と当該冷却器で生成した冷気を前記冷蔵室、野菜室、冷凍室に供給する冷却ファンとを配置し、更に前記野菜室及び前記冷凍室と冷却室との間を区画する野菜室背面壁体及び冷凍室背面壁体を別々に構成して着脱自在とするとともに、前記野菜室背面壁体は発泡断熱材を備え、当該野菜室背面壁体の前記発泡断熱材の冷却ファンと対向する側の面は樹脂製の野菜室背面壁板で覆い、前記野菜室背面壁板は前記冷却ファンに向かって凸部形状を有する冷蔵庫。
【請求項２】
野菜室背面壁体の冷却ファンと対向する側の面を覆った樹脂製の野菜室背面壁板は冷却ファン設置用冷却室カバー側に装着して、当該樹脂製の野菜室背面壁板と冷却ファン設置用冷却室カバーとの間で通路部を形成する構成とした請求項１記載の冷蔵庫。
【請求項３】
野菜室背面壁体はそれぞれが樹脂製の野菜室側野菜室背面壁板と冷却ファン側野菜室背面壁板との間に発泡断熱材が位置していて、前記発泡断熱材を覆う野菜室側野菜室背面壁板と冷却ファン側野菜室背面壁板とは非接触状態とした請求項１または２記載の冷蔵庫。
【請求項４】
野菜室背面壁体を構成する発泡断熱材には冷却ファンからの冷気の通路部とつながる部分に冷蔵室への冷気の流れを制御するダンパを組み込み、前記ダンパは前記発泡断熱材の冷却ファン側の面を覆って通路部を構成する冷却ファン側野菜室背面壁板と非接触状態とした請求項１〜３のいずれか１項記載の冷蔵庫。
【請求項５】
野菜室背面壁板の発泡断熱材を覆って通路部を構成する冷却ファン側野菜室背面壁板は仕切板の開口部分との間のシール面より上方に水切りリブを設けた構成とした請求項１〜４のいずれか１項記載の冷蔵庫。
【請求項６】
冷蔵庫本体は、野菜室と冷凍室とを仕切る仕切板を前記冷蔵庫本体の内・外箱間に連通する如く装着して冷蔵庫本体とともに発泡断熱材を充填させ冷蔵庫本体と一体化するとともに、前記仕切板の後部に開口を設けて当該開口により前記冷却室の野菜室背面部分と冷凍室背面部分とを連続させる構成とした請求項１〜５のいずれか１項記載の冷蔵庫。
【発明の詳細な説明】
【技術分野】
【０００１】
本発明は野菜室と冷凍室等のように温度帯域の異なる二つの貯蔵室に跨ってこれらの背面に冷却室を有する冷蔵庫に関するものである。
【背景技術】
【０００２】
一般に家庭用冷蔵庫は、冷蔵庫本体内に温度帯域の異なる複数の貯蔵室、例えば、冷蔵室、野菜室、冷凍室等を設けて構成してある。そして、この冷蔵室、野菜室、冷凍室等を冷却するための冷気生成用の冷却室が前記貯蔵室の背面に設けてある。
【０００３】
上記冷却室は一つの貯蔵室、例えば冷凍室の背面に設けられることが多いが、中には二つの貯蔵室、例えば冷凍室と野菜室に跨ってこれらの背面に設けてある冷蔵庫もある。
【０００４】
上記冷却室を冷凍室と野菜室との両室に跨ってこれらの背面に設けた冷蔵庫は、冷蔵庫本体の冷蔵室と冷凍室との間に野菜室を配置した冷蔵庫に多く見られ、真ん中野菜室冷蔵庫と称して野菜を多用するユーザに重宝されている（例えば、特許文献１参照）。
【０００５】
図４０は特許文献１記載の冷蔵庫を示し、冷蔵庫本体１００の上部に冷蔵室１０１、下部に冷凍室１０２を設け、これら両室の間となる冷蔵庫本１００の上下略中央部分に野菜室１０３が配置してある。そして冷蔵庫本体１００の冷凍室１０２と野菜室１０３との両室に跨ってその背面に冷却室１０４を設け、この冷却室１０４に冷却器１０５と冷却ファン１０６を配置して、当該冷却器１０５で生成した冷気を前記冷却ファン１０６により冷蔵室１０１、野菜室１０３、冷凍室１０２に供給し循環させ、これら各室に貯蔵されている食品を冷却保存するようになっている。
【０００６】
なお、上記野菜室１０１は冷蔵室１０４を冷却した後の冷気が供給されて野菜室１０３内に収納した野菜を冷却保存するようになっている。
【先行技術文献】
【特許文献】
【０００７】
【特許文献１】特開平９−１１３１０９号公報
【発明の概要】
【発明が解決しようとする課題】
【０００８】
しかしながら、上記野菜室１０３と冷凍室１０２との両室に跨ってこれらの背面に冷却室１０４を有する冷蔵庫は、野菜室１０３の背面に冷却ファン１０６が位置していて冷却器１０５で生成されたばかりの低温冷気による冷輻射を強く受け野菜室１０３内に結露が生じやすいとともに、冷却ファン１０６のメンテナンスを冷却器１０５上方の図面上Ａで示す部分から行わざるを得なくなってそのメンテナンスが極めて困難なものとなる傾向にある。しかも、上記冷却ファン１０６からの冷気はファンから吹出されると同時にその前方に位置する野菜室背面壁１０３ａに衝突することになるため流れが乱れやすくなる傾向にもある。
【０００９】
このような問題は、特開平１１−１１８３１４号公報に開示、すなわち図４１に示す様に、冷却室１０４を冷凍室１０２の背面のみにとどめて冷却ファン１０６が野菜室１０３の背面部分に位置しないようにすることによって解決することが考えられる。しかしながら、このような構成にすると、冷却室１０４に設ける冷却器１０５の大きさが限定されて冷却能力に制約が生じ、大能力の大型冷蔵庫には応用できない。
【００１０】
したがって、大型冷蔵庫であっても前記した結露防止とメンテナンス性の向上を両立させると同時に冷却ファンからの冷気の流れも円滑化することが大きな課題となる。
【００１１】
本発明はこのような点に鑑みてなしたもので、冷凍能力の大きな大型の冷蔵庫であっても野菜室内での結露を抑制可能でメンテナンスも良好に行え、かつ冷気の流れも円滑化できる冷蔵庫の提供を目的としたものである。
【課題を解決するための手段】
【００１２】
本発明は、上記従来の課題を解決するために、冷蔵庫本体に冷蔵室、野菜室、冷凍室を設けるとともに、前記野菜室と冷凍室との両室に跨ってこれらの背面に冷却室を設け、かつ、前記冷却室に冷気を生成する冷却器と当該冷却器で生成した冷気を前記冷蔵室、野菜室、冷凍室に供給する冷却ファンとを配置し、更に前記野菜室及び前記冷凍室と冷却室との間を区画する野菜室背面壁体及び冷凍室背面壁体を別々に構成して着脱自在とするとともに、前記野菜室背面壁体は発泡断熱材を備え、当該野菜室背面壁体の前記発泡断熱材の冷却ファンと対向する側の面は樹脂製の野菜室背面壁板で覆った構成としてある。
【００１３】
これにより、この冷蔵庫では冷却室の冷却ファンからの低温冷気による強い冷輻射を断熱材によって遮断し野菜室内が低温化して結露発生するのを防止できるとともに、冷却室と野菜室及び冷凍室を区画する野菜室背面壁体及び冷凍室背面壁体がそれぞれ別個に着脱できるから、野菜室の野菜室背面壁体と対向することになる冷却ファンはもちろん、冷凍室の冷凍室背面壁体と対向することになる冷却器のメンテナンスもそれぞれの壁体を着脱することによって容易に行うことができる。しかも、上記冷却ファンと対向する野菜室背面壁体の冷却ファン側の面は樹脂板で覆っているから、当該発泡スチロール等の断熱材に比べ樹脂板が精度よく形成できることもあって冷却ファンと対向する部分の形状を冷気の流れに即したものに精度よく形成でき、冷気の流れも円滑なものとすることができる。加えて、前記発泡スチロール等の断熱材の冷気が流れる側の面を樹脂板によって覆っているので、除霜時等に冷却室に生じる結露水等が発泡スチロール等の断熱材に付着しこれが凍結膨張・氷解を繰り返すことによって生じる壁体表面の劣化や表面劣化による冷気漏れ等をも防止することができる。
【発明の効果】
【００１４】
本発明の冷蔵庫は、野菜室内での結露を抑制可能でメンテナンスも良好に行え、かつ冷気の流れも円滑化できると同時に冷却室内の結露による障害発生も抑制でき、高品質で信頼性の高い冷蔵庫とすることができる。
【図面の簡単な説明】
【００１５】
【図１】本発明の実施の形態１における冷蔵庫の正面図
【図２】同実施の形態１における冷蔵庫の扉を開いた時の正面図
【図３】同実施の形態１における冷蔵庫を示す図２のＡ−Ａ断面図
【図４】同実施の形態１における冷蔵庫を示す図２のＢ−Ｂ断面図
【図５】同実施の形態１における冷蔵庫の半裁斜視図
【図６】同実施の形態１における冷蔵庫の冷気流れを説明するための概略断面図
【図７】同実施の形態１における冷蔵庫の冷気流れを説明する概略正面図
【図８】同実施の形態１における冷蔵庫の冷却室背面部分の冷気流れを説明する斜視図
【図９】同実施の形態１における冷蔵庫を示す図３の要部拡大断面図
【図１０】同図９における冷気流れを説明するための概略断面図
【図１１】同実施の形態１における冷蔵庫を示す図４の要部拡大断面図
【図１２】同実施の形態１における冷蔵庫の野菜室と冷凍室を示す拡大正面図
【図１３】同図１２に示す冷蔵庫の野菜室と冷凍室の背面に設置された冷却ファンと冷却器を示す拡大正面図
【図１４】同実施の形態１における冷蔵庫の野菜室背面壁体と冷凍室背面壁体を示す拡大斜視図
【図１５】同実施の形態１における冷蔵庫の野菜室及び冷凍室の背面と冷却室とを示す断面図
【図１６】同実施の形態１における冷蔵庫の野菜室背面壁体と冷凍室背面壁体の取り付け構成を示す断面図
【図１７】同図１６の要部か下す断面図
【図１８】同実施の形態１における冷蔵庫の野菜室背面壁体、仕切板、冷凍室背面壁体を示す分解斜視図
【図１９】同実施の形態１における冷蔵庫の仕切板を分解して示す断面図
【図２０】同実施の形態１における冷蔵庫の仕切板に冷却ファンを取り付けた状態を示す斜視図
【図２１】同実施の形態１における冷蔵庫の仕切板に冷却ファンを取り付けた状態を背面から見た斜視図
【図２２】同図２１の冷却ファンを取り外した時の斜視図
【図２３】同実施の形態１における冷蔵庫の野菜室背面壁体と冷却ファンとを示す分解斜視図
【図２４】同実施の形態１における冷蔵庫の野菜室背面壁体と冷却ファンとを背面から見た斜視図
【図２５】同実施の形態１における冷蔵庫の冷却ファンユニットを示す分解斜視図
【図２６】同実施の形態１における冷蔵庫の野菜室背面壁体の斜視図
【図２７】同実施の形態１における冷蔵庫の野菜室背面壁体の分解斜視図
【図２８】同実施の形態１における冷蔵庫の冷凍室背面壁体を示す斜視図
【図２９】同実施の形態１における冷蔵庫の冷凍室背面壁体の分解斜視図
【図３０】同実施の形態１における冷蔵庫の冷凍室背面壁体を背面側から見た斜視図
【図３１】同実施の形態１における冷蔵庫の冷凍室背面壁体を背面から見た分解斜視図
【図３２】同実施の形態１における冷蔵庫の冷凍室背面壁体を分解し冷却器とともに示す斜視図
【図３３】（ａ）同実施の形態１における冷蔵庫の野菜室側野菜室背面壁板に設けた水切りリブを示す斜視図及び断面図、（ｂ）同冷却ファンのファン筐体に設けた水切りリブを示す斜視図及び断面図
【図３４】同実施の形態１における冷蔵庫の冷凍室川冷却室を前面から見た正面図
【図３５】同図３４の要部拡大正面図
【図３６】（ａ）〜（ｃ）同実施の形態１における冷蔵庫の冷却ファンの取付けを説明する説明図
【図３７】（ａ）（ｂ）同実施の形態１における冷蔵庫の野菜室側野菜室背面壁板の取り付けを説明する説明図
【図３８】同実施の形態１における冷蔵庫の冷凍室背面壁体の取り付けを説明する説明図
【図３９】同実施の形態１における冷蔵庫の制御ブロック図
【図４０】従来の冷蔵庫の概略断面図
【図４１】従来の冷蔵庫の他の例を示す概略断面図
【発明を実施するための形態】
【００１６】
第１の発明は、冷蔵庫本体に冷蔵室、野菜室、冷凍室を設けるとともに、前記野菜室と冷凍室との両室に跨ってこれらの背面に冷却室を設け、かつ、前記冷却室に冷気を生成する冷却器と当該冷却器で生成した冷気を前記冷蔵室、野菜室、冷凍室に供給する冷却ファンとを配置し、更に前記野菜室及び前記冷凍室と冷却室との間を区画する野菜室背面壁体及び冷凍室背面壁体を別々に構成して着脱自在とするとともに、前記野菜室背面壁体は発泡断熱材を備え、当該野菜室背面壁体の前記発泡断熱材の冷却ファンと対向する側の面は樹脂製の野菜室背面壁板で覆い、前記野菜室背面壁板は前記冷却ファンに向かって凸部形状を有する構成としてある。
【００１７】
これにより、この冷蔵庫では冷却室の冷却ファンからの低温冷気による強い冷輻射を断熱材によって遮断し野菜室内が低温化して結露発生するのを防止できるとともに、冷却室と野菜室及び冷凍室を区画する野菜室背面壁体及び冷凍室背面壁体がそれぞれ別個に着脱できるから、野菜室の野菜室背面壁体と対向することになる冷却ファンはもちろん、冷凍室の冷凍室背面壁体と対向することになる冷却器のメンテナンスもそれぞれの壁体を着脱することによって容易に行うことができる。しかも、上記冷却ファンと対向する野菜室背面壁体の発泡断熱材の冷却ファン側の面は樹脂製の野菜室背面壁板で覆っているから、当該発泡断熱材に比べ樹脂板が精度よく形成できることもあって冷却ファンと対向する部分の形状を冷気の流れに即したものに精度よく形成でき、冷気の流れも円滑なものとすることができる。加えて、前記樹脂製の野菜室背面壁板によって発泡断熱材の冷気が流れる側の面を覆っているので、除霜時等に冷却室に生じる結露水等が発泡断熱材に付着しこれが凍結膨張・氷解を繰り返すことによって生じる壁体表面の劣化やシール部分での表面劣化による冷気漏れ等をも防止することができる。
【００１８】
第２の発明は、第１の発明において、前記野菜室背面壁体の冷却ファンと対向する側の面を覆った樹脂製の野菜室背面壁板は冷却ファン設置用冷却室カバー側に装着して、当該樹脂製の野菜室背面壁板と冷却ファン設置用冷却室カバーとの間で通路部を形成する構成としてある。
【００１９】
これにより、樹脂製の野菜室背面壁板と冷却ファン設置用冷却室カバーとを一体化したファンユニットによって通路部を構成することができ、野菜室の背面に装着した野菜室背面壁体の発泡断熱材を冷却ファン設置用冷却室カバーに押し付けてこれら両者間で通路部を構成する場合に比べ冷却ファン設置用冷却室カバーと樹脂製の野菜室背面壁板との接合部分で構成される通路部のシールを確実かつ強固なものとすることができる。換言すると、冷却ファンから送風される冷気の圧力が最も高くなる通路部のシールを確実かつ強固なものとすることができる。したがって、前記冷却室内の低温冷気が通路部から漏れて野菜室等に流れ込み、野菜室内の野菜の一部を凍結させてしまうというようなことを確実に防止することができる。
【００２０】
第３の発明は、第１または第２の発明において、前記野菜室背面壁体はそれぞれが樹脂製の野菜室側野菜室背面壁板と冷却ファン側野菜室背面壁板との間に発泡断熱材が位置していて、前記発泡断熱材を覆う野菜室側野菜室背面壁板と冷却ファン側野菜室背面壁板とは非接触状態とした構成としてある。
【００２１】
これにより、冷却室を構成し冷却室内の低温冷気に曝されて低温となる樹脂の冷却ファン側野菜室背面壁板の低温が野菜室側野菜室背面壁板に伝導してこれが低温化するのを防止ができ、野菜室側野菜室背面壁板の低温化による結露発生を確実に防止することができる。
【００２２】
第４の発明は、第１〜第３の発明において、前記野菜室背面壁体を構成する発泡断熱材には冷却ファンからの冷気の通路部とつながる部分に冷蔵室への冷気の流れを制御するダンパを組み込み、前記ダンパは前記発泡断熱材の冷却ファン側の面を覆って通路部を構成する冷却ファン側野菜室背面壁板と非接触状態とした構成としてある。
【００２３】
これにより、通路部内の低温冷気に曝されて低温となる冷却ファン側野菜室背面壁板の
低温がダンパに伝導してこれが低温化するのを防止することができ、冷蔵室に繋がっていてこれと同程度の比較的高い温度の冷気と触れていてもダンパが低温化して結露を発生するのを確実に防止することができる。
【００２４】
第５の発明は、第１〜第４の発明において、前記野菜室背面壁板の発泡断熱材を覆って通路部を構成する冷却ファン側野菜室背面壁板は仕切板の開口部分との間のシール面より上方に水切りリブを設けた構成としたとしてある。
【００２５】
これにより、除霜時等に冷却ファン側野菜室背面壁板に付着する結露水がシール面に滴下するのを防止することができ、結露水がシール部で凍結膨張・氷解等を繰り返して生じるシール性の悪化を防止することができ、長期間に亘って良好なシール性を保証することができる。
【００２６】
第６の発明は、第１〜第５の発明において、前記冷蔵庫本体は、野菜室と冷凍室とを仕切る仕切板を前記冷蔵庫本体の内・外箱間に連通する如く装着して冷蔵庫本体とともにウレタン等の発泡断熱材を充填させ冷蔵庫本体と一体化するとともに、前記仕切板の後部に開口を設けて当該開口により前記冷却室の野菜室背面部分と冷凍室背面部分とを連続させる構成としてある。
【００２７】
これにより、仕切板は冷蔵庫本体と同様高い断熱性を有するウレタン等の発泡断熱材によって断熱することができるからその断熱性が向上し、冷凍室から野菜室への冷輻射量を強力に低減でき、野菜室背面壁体の断熱材による冷却室からの低温遮断効果と合わせて野菜室の低温化による結露発生をより確実に防止することができると同時に、冷蔵庫本体成型時に仕切板を冷蔵庫本体に一体化できて生産性も向上する。
【００２８】
以下、本発明の実施の形態について、図面を参照しながら説明する。尚、この実施の形態によって本発明が限定されるものではない。
（実施の形態１）
図１〜図３９は本発明の実施の形態１を示すもので、まず、冷蔵庫の全体構成について説明する。
【００２９】
＜冷蔵庫本体構成＞
図１〜図６において、本実施の形態に係る冷蔵庫は、前方を開口した冷蔵庫本体１を備え、この冷蔵庫本体１は、図３等に示すように主に鋼板を用いた外箱２と、ＡＢＳなどの硬質樹脂で成型された内箱３と、前記外箱２と内箱３との間に充填された硬質発泡ウレタン等の発泡断熱材４とから構成されている。冷蔵庫本体１は、仕切板５．６によって複数の貯蔵室に区分されており、冷蔵庫本体１の最上部には冷蔵室７、その冷蔵室７の下部に野菜室８、そして最下部に冷凍室９が配置されていて、真ん中野菜室タイプの冷蔵庫となっている。前記各貯蔵室の前面開口部は、扉１０、扉１１、扉１２によって開閉可能に閉塞されている。
【００３０】
冷蔵庫本体１の上部後方領域には機械室１４が設けられている。機械室１４には、圧縮機１５、水分除去を行うドライヤ（図示せず）等の冷凍サイクルの高圧側構成部品が収容されている。
【００３１】
また、冷蔵庫本体１の背面には冷気を生成する冷却室１６が設けられている。この冷却室１６は冷凍室９の背面から野菜室８の下部背面に渡って形成されており、野菜室８との間は発泡スチロール等によって断熱性を持たせた野菜室背面壁体１７を設けて断熱仕切りしている。
【００３２】
冷却室１６内には冷却器１８が配設されており、冷却器１８の上部には冷却ファン１９が配置されている。前記冷却ファン１９は、冷却器１８により冷却された冷気を冷蔵室７、野菜室８、冷凍室９に強制循環させて各室を冷却するものである。例えば、冷蔵室７は食品が凍らない程度の温度通常１℃〜５℃に冷却し、野菜室８は冷蔵室７と同等もしくは若干高めの温度２℃〜７℃に冷却している。また、冷凍室９は冷凍保存のために通常−２２℃〜−１５℃の冷凍温度帯に冷却しており、場合によっては冷凍保存状態向上のために、例えば−３０℃や−２５℃の低温に冷却することもある。
【００３３】
また、前記冷却室１６の冷却器１８下部空間には、図９等に示すように冷却器１８やその周辺に付着する霜や氷を除霜する除霜ヒータ２８が配置されている。除霜ヒータ２８の下部には除霜時に生じる除霜水を受けるためのドレンパン２９が配置され、除霜水はドレンパン２９の最深部から図示しないドレンチューブを介して庫外の蒸発皿に排出するようになっている。
【００３４】
次に冷気循環構成について主に図７〜図１１を用いて説明する。
【００３５】
＜冷気循環通路構成＞
冷気を生成する冷却室１６は、図９等に示すように前記した野菜室背面壁体１７と冷蔵庫本体１との間に形成されている冷却室冷気通路部３０に冷却ファン１９の下流が開口しており、この冷却室冷気通路部３０を介して各室に冷気を送風する。
【００３６】
冷却室冷気通路部３０の上部は図７、図８、図１０、特に図１０に示すように冷蔵室ダンパ３１を介して冷蔵室７の背面略中央部に形成されている冷蔵冷気往き通路３２と連通している。冷蔵冷気往き通路３２の側方には図７、図８に示すように冷蔵室７からの冷蔵冷気戻り通路３３が隣接設置されていて、その下部は野菜室８、冷却室１６に連通している。
【００３７】
冷蔵室７には図７に示すようにその奥壁上部適所に冷蔵冷気往き通路３２の冷蔵冷気入口３５が設けてあり、同奥壁下部適所には前記冷蔵冷気戻り通路３３へ開口する冷蔵冷気戻り口３６が設けられていて、冷却室１６からの冷気は冷蔵室ダンパ３１を介して冷蔵冷気往き通路３２に供給され、その冷蔵冷気入口３５から冷蔵室７に供給される。一方、冷蔵室冷却後の冷気は冷蔵冷気戻り口３６から冷蔵冷気戻り通路３３を介して野菜室８に供給され、かつ冷却室１６へと循環する。また、この冷蔵室７には後述するようにその下部にパーシャル室が設けられていて、当該パーシャル室には図８に示すようにパーシャル室ダンパ３１ａ、パーシャル室冷気往き通路３２ａ、パーシャル室冷気入口３５ａを介して供給されるようになっている。
【００３８】
この実施の形態では、図９から明らかなように、前記野菜室背面壁体１７と仕切板６の背面に、前記冷却室冷気通路部３０と冷蔵冷気往き通路３２及びパーシャル室冷気往き通路３２ａとを連絡する往き通路３７と、冷蔵冷気戻り通路３３と野菜室８、冷却室１６とを連絡する戻り通路３８（図８参照）が形成されていて、前記冷蔵室ダンパ３１はこの往き通路３７に設けられている。
【００３９】
そして、図８に示すように前記冷蔵冷気往き通路３２と冷蔵冷気戻り通路３３との間に連通路３９が形成されていて、冷蔵冷気往き通路３２を流れる低温冷気の一部が冷蔵冷気戻り通路３３に混入するように構成されている。
【００４０】
また、冷凍室９の背面には図８に示すように前記冷却室１６の冷却ファン１９及び冷却器１８の側方を下向きに延びる冷気戻りダクト４０が設けられており、この冷気戻りダク
ト４０の上部が上記戻り通路３８を介して野菜室８に連通するとともにその下部が冷却室１６の下部近傍に開口していて、前記野菜室８冷却後の冷気が冷気戻りダクト４０を介してその下部開口から冷却室１６へと循環するように構成されている。
【００４１】
一方、冷凍室９は図１０に示すようにその冷凍室背面壁体４１の上部に前記野菜室背面壁体１７背面の冷却室冷気通路部３０下部に連通する冷凍冷気入口４２が、下部に前記冷却室１６の下部に開口する冷凍冷気戻り口４３が形成されていて、冷却室１６からの冷気が冷却室冷気通路部３０下部から冷凍冷気入口４２を介して供給され、冷凍室冷却後の冷気が冷凍冷気戻り口４３を介して冷却室１６へと循環する。
【００４２】
＜冷蔵室、野菜室、冷凍室構成＞
冷蔵室７は図４等に示すように内部に複数の収納棚５２を有するとともに、準冷凍温度帯に冷却できるパーシャル室５３を備え、それぞれの適所に既に述べた冷蔵冷気入口３５及び冷蔵冷気戻り口３６（いずれも図７参照）が設けられている。そして、冷蔵室７の側壁適所には各室の庫内温度設定や製氷および急速冷却などの設定を行う操作部５４が配置されている。
【００４３】
野菜室８は図７、図８に示すように奥壁左右いずれか一方寄り部分、この実施の形態では正面から見て右側部分の下部であって前記冷蔵冷気戻り通路３３からの戻り通路３８部分に開口した野菜冷気入口４４が設けられ、この野菜冷気入口４４の略上方位置部分に前記戻り通路３８に開口して冷却室１６へとつながる野菜冷気戻り口４６が設けられている。
【００４４】
なお、上記野菜室８には、図１１等に示すように野菜収納ケース４８が配置されており、この野菜収納ケース４８は扉１１のフレームに載置された下段野菜収納ケース４９ａと、下段野菜収納ケース４９ａの上に載置された上段野菜収納ケース４９ｂとから構成されている。そして上記野菜室８は上記野菜収納ケース４８とその下の仕切板６及び野菜室８の内周壁面との間に空間が設けられ、当該空間は前記野菜冷気入口４４からの冷気が流れる風路を構成している。
【００４５】
また。冷凍室９は既に図１０を用いて述べたようにその奥壁上部に前記野菜室背面壁体１７背面の冷却室冷気通路部３０下部と連通する冷凍冷気入口４２が形成され、さらに奥壁下部に前記冷凍室９に連通する冷凍冷気戻り口４３が形成されている。そして構造図には図示していないが、冷却室１６から冷凍室９への通路の適所にも冷凍室ダンパが組み込まれている。なお、この冷凍室９にも、図４等に示すようにその扉１２のフレームに載置された冷凍室ケース５５が設けられている。
【００４６】
次にこの冷蔵庫の制御構成について図３９を用いて説明する。
【００４７】
＜制御構成＞
図３９は本実施の形態の冷蔵庫における制御ブロック図を示し、５７は冷蔵室温度検知手段、５８は野菜室温度検知手段、５９は冷凍室温度検知手段で、いずれもサーミスタで形成してあり、それぞれ冷蔵室７、野菜室８、冷凍室９の適所に設置されている。６０は冷蔵庫全体を統括制御する制御部で、マイクロコンピュータ等によって構成してあり、前記冷蔵室温度検知手段５７、冷凍室温度検知手段５９からの出力に基づきあらかじめ組み込まれた制御ソフトにしたがって冷蔵室ダンパ３１、冷凍室ダンパ３４を開閉制御するとともに、圧縮機１５、冷却ファン１９を駆動して各室を設定温度に制御する。
【００４８】
次に本発明の特徴部分である前記野菜室８と冷凍室９及びその背面に位置する冷却室１６周りの構成について図１０〜図３８を用いて詳しく説明する。
【００４９】
＜野菜室及び冷凍室と冷却室との構成＞
冷却室１６は図１０や図１５に示すように仕切板６の開口２０（図１８参照）を介して野菜室８と冷凍室９の背面に形成されており、野菜室８との間は野菜室背面壁体１７によって区切られ、冷凍室９との間は冷凍室背面壁体４１によって区切られている。
【００５０】
仕切板６は図１９の分解斜視図に示すように構成されている。すなわち、仕切板６は上面部材６ａと下面部材６ｂとの間に発泡断熱材４（この図１９では図示せず）を充填して構成されていて、奥部側に開口２０が形成されている。この開口２０の上部に前記した冷却ファン１９を組み付けた冷却ファン設置用冷却室カバー１９ａが組み付けられており、下方には前記冷却室１６の冷却器１８が位置している。上記開口２０はその下方に位置する冷却器１８の上面投影面積よりも大きく形成されるとともに、下面部材６ｂの開口背面側縁部分の下面には下方に突出する突片２１が、また上面には上面部材６ａの開口縁よりも上方に突出する上向き突片２２がそれぞれ形成されている。また、仕切板６には冷却ファン１９よりも前方の野菜室底面となる部分にシーズヒータ等からなる結露防止用の第一のヒータ２３が埋設されている。
【００５１】
この仕切板６は、上面部材６ａと下面部材６ｂとを組み合わせて中空板体状に形成し、冷蔵庫本体１の内・外箱２，３間に連通する如く装着して冷蔵庫本体１とともに発泡断熱材４を充填させ冷蔵庫本体１と一体化してある。また、この仕切板６を冷蔵庫本体１に一体化する際、図示しない治具を前記突片２１及び上向き突片２２に押し当ててそのまま冷蔵庫本体１の内箱３奥面に押し付けることにより仕切板６を所定位置に位置決め保持し、冷蔵庫本体１への発泡断熱材４の充填によって冷蔵庫本体側から上・下面部材６ａ、６ｂ間に発泡断熱材４を充填発泡させることにより冷蔵庫本体１と一体化してある。
【００５２】
なお、図中２４は開口２０の開口縁前方部分を覆う断熱性遮壁で、発泡スチロール等で構成されており、その一側部片には仕切板６に設けられている冷気戻り通路用開口２５と対応する通路開口２６が形成されている。また、仕切板６の冷気戻り通路用開口２５と反対側部分には冷凍室９に設けられる製氷装置への水供給用のタンク設置部２７が形成されている。
【００５３】
また、前記野菜室背面壁体１７と冷凍室背面壁体４１とは、それぞれ別個に形成して個別に着脱自在なる如く装着してある。
【００５４】
まず、野菜室背面壁体１７について説明する。野菜室背面壁体１７は、図１５〜図１７及び図２１〜図２７に示すように樹脂製の野菜室側野菜室背面壁板１７１と同じく樹脂製の冷却ファン側野菜室背面壁板１７２との間に発泡スチロール等の発泡断熱材１７３を配置し、かつ更に前記野菜室側野菜室背面壁板１７１と冷却ファン側野菜室背面壁板１７２とを図２３、図２４から明らかなように非接触状態として構成してあり、冷却ファン１９からの低温冷気による強力な低温輻射と低温熱伝導から野菜室８内を確実に遮熱可能なようにしてある。そして、前記冷却ファン側野菜室背面壁板１７２と前記冷却ファン設置用冷却室カバー１９ａとの間には既述した冷却室冷気通路部３０を形成している。そして、冷却ファン側野菜室背面壁板１７２は冷却ファン１９に対向する面を円錐台形状にして軸流ファンである冷却ファン１９の中央に配置されたモータに対向する部分は平面に、円周に配置された羽根に対向する部分は傾斜面としてある。
【００５５】
この実施の形態では、図２３に示すように上記野菜室側野菜室背面壁板１７１と発泡断熱材１７３を一体化して野菜室背面ユニットＸを構成し、冷却ファン側野菜室背面壁板１７２は冷却ファン１９の冷却ファン設置用冷却室カバー１９ａにシール材６４を介し着脱自在にビス止めして冷却ファンユニットＹを構成する形としてある。これにより、冷却室冷気通路部３０はこの冷却ファンユニットＹの冷却ファン側野菜室背面壁板１７２と冷却ファン設置用冷却室カバー１９ａとによって形成される形となっている。
【００５６】
また、上記野菜室背面壁体１７を構成する冷却ファン１９は図３６に示すようにその冷却ファン設置用冷却室カバー１９ａの前面下部に一体成型されている冷却ファン側野菜室背面壁板受け片１９ｂの先端を仕切板開口２０の前縁に設けた係止片２０ａに引っ掛け挿入し、この部分を中心に背面方向に回動させて取り付けてある。これにより、図１６、図１７に示すように冷却ファン側野菜室背面壁板受け片１９ｂが冷却ファン側野菜室背面壁板１７２の下端に当接し、そして冷却ファン設置用冷却室カバー１９ａの後方下端部が後述する冷凍室背面壁体４１の冷却器側冷凍室背面壁板４１２の野菜室側端部となる上端のシール面４１２ｂに当接して取り付け固定されることになる。なお、図１６、図１７中６４は前記其々の当接部に設けたシール材である。
【００５７】
更に上記冷却ファンユニットＹの前方に位置して野菜室背面壁体１７を構成する野菜室背面ユニットＸは、図３７に示すように、野菜室側野菜室背面壁板１７１下部の凸状１７１ａを仕切板開口２０の口縁に係当させ、同図に示すようにその上部を背面方向に回動させて取り付けてあり、発泡断熱材１７３が冷却ファンユニットＹ側の冷却ファン側野菜室背面壁板１７２に圧接する形で着脱自在となっている。
【００５８】
これによって野菜室背面壁体１７となる冷却ファンユニットＹと野菜室背面ユニットＸとがそれぞれ着脱自在となっている。
【００５９】
更に、上記野菜室背面壁体１７の前記冷却室１６と対向する面には図１０に示すようにシーズヒータ等からなる結露防止用の第二のヒータ５０が埋設してある。この第二のヒータ５０は前記冷却室１６の上部と対向する位置であって冷却室１６から冷蔵室７への冷気を開閉する冷蔵室ダンパ３１よりも下方位置の低温の冷却室温度帯域に設置されている。
【００６０】
また、前記冷却室冷気通路部３０内には前記冷却ファン１９、仕切板６内の第一のヒータ２３、野菜室背面壁体１７内の第二のヒータ５０等の電気部材のコネクタ接続部（ボックス５１（図１３参照））が設置されており、この冷却室温度帯域となる冷却室冷気通路部３０内で電気的接続がなされている。
【００６１】
また、前記野菜室背面壁体１７は、図１０に示すように、冷却室冷気通路部３０の上方に既述した冷蔵室ダンパ３１とパーシャル室ダンパ３１ａが組み込んであり、冷却室冷気通路部３０に繋がる冷蔵冷気往き通路３２及びパーシャル室冷気往き通路３２ａへの冷気の流れを制御している。この冷蔵室ダンパ３１とパーシャル室ダンパ３１ａは、図２３に示すように、一体化してツインダンパの形態としてあり、図２２〜図２３に示すように冷却室冷気通路部３０の上方にダンパ組み込み用断熱材６１を介して装着し、冷却室１６からの低温冷気が触れる野菜室背面壁体１７の冷却ファン側野菜室背面壁板１７２とは当該ダンパ組み込み用断熱材６１によって非接触状態として、比較的温度の高い冷気と接することになる冷蔵室ダンパ３１及びパーシャル室ダンパ３１ａを断熱する構成としてある。
【００６２】
一方、冷凍室背面壁体４１は次のように構成されている。すなわち、冷凍室背面壁体４１は、図１５〜図１７及び図２６〜図３２に示すように、それぞれ樹脂で形成された冷凍室側冷凍室背面壁板４１１と冷却器側冷凍室背面壁板４１２とを重合一体化して構成してあり、これらの間にはその上端が前記仕切板開口２０を介して前記冷却ファン設置用冷却室カバー１９ａ前面の冷却室冷気通路部３０と連通する冷凍室冷気通路６２が形成してある。そして、冷凍室冷気通路６２の上端は冷凍冷気入口４２となり、その下部の開口は冷凍冷気戻り口４３となる。さらに、これらの間には冷凍冷気吹出口６３が形成してある。
【００６３】
また、上記冷凍室背面壁体４１は図３８に示すようにその冷凍室側冷凍室背面壁板４１１下端の突片４１１ａを冷凍室背面下部の係当片９ａに挿入し、この挿入部分を支点にその上部を冷却器１８側に回動させて冷凍室９背面に着脱自在に取り付けてある。
【００６４】
この冷凍室背面への装着によって前記冷却器側冷凍室背面壁板４１２はその野菜室側端部が図１６、図１７に示すように仕切板６の開口２０内に位置していて、前記冷却ファン１９の冷却ファン設置用冷却室カバー１９ａ下端部に圧接し、これら両者間をシールするシール面４１２ｂとなっている。
【００６５】
上記冷却器側冷凍室背面壁板４１２のシール面４１２ｂが臨む仕切板開口２０の両側部には、図３４、図３５で示すように前記冷却器側冷凍室背面壁板４１２のシール面４１２ｂと面一になる仕切シール面６ｃが形成してあり、この仕切シール面６ｃと冷却器側冷凍室背面壁板のシール面４１２ｂとで前記冷却ファン設置用冷却室カバー１９ａ下端部が接する接続シール面を構成し、冷却ファン設置用冷却室カバー下端部と冷却器側冷凍室背面壁板４１２との間のシールを行っている。
【００６６】
また、上記冷却器側冷凍室背面壁板４１２のシール面４１２ｂは図１６等から明らかなように前後方向の面に形成されていて、その前面側に位置する冷却室冷気通路部３０を狭めない形となっているとともに、前記冷却ファン設置用冷却室カバー１９ａおよび冷却器側冷凍室背面壁板４１２を回動装着した際、冷却ファン設置用冷却室カバー１９ａの下端部と冷却器側冷凍室背面壁板４１２のシール面４１２ｂとが向かい合うように当接してこれら両者間をシールするようになっている。
【００６７】
また、図３３に示すように、前記冷却ファン側野菜室背面壁板１７２の下部と冷却ファン１９の冷却ファン設置用冷却室カバー１９ａ下部には水切りリブ１９ｃがそれぞれ形成してある。この水切りリブ１９ｃは同図から明らかなように、前記冷却ファン側野菜室背面壁板１７２下部に位置する冷却ファン設置用冷却室カバー１９ａの冷却ファン側野菜室背面壁板受け片１９ｂとの間のシール材６４および冷却ファン設置用冷却室カバー１９ａと冷却器側冷凍室背面壁板の上端シール面４１２ｂとの間のシール材６４の上方に位置する様に形成してある。
【００６８】
さらにまた、上記冷却器側冷凍室背面壁板４１２のシール面４１２ｂは、図１６等からも明らかなように冷却器１８のコア部１８ａの上端よりも上方に位置する形としてある。
【００６９】
以上のように構成された冷蔵庫について、以下その動作、作用を説明する。
【００７０】
まず、冷凍サイクルの動作について説明する。
【００７１】
庫内の設定された温度に応じて制御部６０からの信号により冷凍サイクルが動作し冷却運転が行われる。圧縮機１５の動作により吐出された高温高圧の冷媒は、凝縮器（図示せず）である程度凝縮液化し、さらに冷蔵庫の側面や背面、また冷蔵庫の前面間口に配設された冷媒配管（図示せず）などを経由し冷蔵庫の結露を防止しながら凝縮液化し、キャピラリーチューブ（図示せず）に至る。その後、キャピラリーチューブでは圧縮機１５への吸入管（図示せず）と熱交換しながら減圧されて低温低圧の液冷媒となって冷却室の冷却器１８に至る。ここで、前記冷却器１８内の冷媒は蒸発気化し、当該冷却器１８を有する冷却室１６で各貯蔵室を冷却するための冷気が生成される。
【００７２】
次に冷気循環による冷却動作について説明する。
【００７３】
冷却室１６内で生成された低温の冷気は、冷却ファン１９によって、冷却室冷気通路部３０から冷蔵室７と冷凍室９に送られ、冷蔵室７に供給された冷気は冷蔵室７を冷却した後、野菜室８に供給され、それぞれの室が設定温度に冷却される。そして、各室を冷却したのちの冷気は、再び冷却室１６に戻って冷却器１８により冷却され、冷却ファン１９で
各室に循環していく。また、上記各室への冷気供給は、制御部６０が冷蔵室温度検知手段５７及び冷凍室温度検知手段５９の検出温度に基づき圧縮機１５と冷却ファン１９を運転／停止、及び冷蔵室ダンパ３１、冷凍室ダンパ３４を開・閉制御し、それぞれの室が設定温度帯に維持されるようになっている。
【００７４】
次に上記冷気を生成する冷却室１６と野菜室８及び冷凍室９周りの構成における作用効果について説明する。
【００７５】
まず、この冷蔵庫は、冷却室１６と野菜室８及び冷凍室９との間を区画する野菜室背面壁体１７及び冷凍室背面壁体４１がそれぞれ別個に構成されていて個別に着脱自在となっているから、メンテナンスが容易になる。すなわち、冷却室１６内に設けた冷却器１８或いは冷却ファン１９は、そのそれぞれに対応した壁体を着脱すれば冷却室１６の前面が開放するので、容易にメンテナンスを行うことができる。例えば、野菜室背面壁体１７の場合は、その一部を構成する野菜室背面ユニットＸを取り外し、その後冷却ファン側野菜室背面壁板１７２をビス止めされている冷却ファンニットＹの前面から取り外せば、冷却ファン１９のメンテナンスが行える。また、冷凍室背面壁体４１の場合は、冷却器側冷凍室背面壁板４１２と冷凍室側冷凍室背面壁板４１１とが一体にユニット化されているので、一回の操作によって、冷凍室背面壁体４１を取り外すことができ、さらに容易に冷却器１８のメンテナンスを行うことができる。
【００７６】
また、前記冷却器側冷凍室背面壁板４１２と冷凍室側冷凍室背面壁板４１１とは一体にユニット化してそれらの間に冷却ファンからの冷気が案内される冷却室冷気通路部３０に繋がる冷凍室冷気通路６２を形成しているから、冷却ファン１９からの低温冷気を冷凍室９の任意の位置に案内することができ、冷凍室の冷却を効率よいものとすることができる。
【００７７】
また、冷却室１６は冷却ファン１９の冷却ファン設置用冷却室カバー１９ａ下部を冷凍室背面壁体４１の冷却器側冷凍室背面壁板４１２の野菜室側端部に直接当接させて構成しているので、冷却室１６の一部となる仕切板６の開口２０の前後幅を大きなものとすることができる。すなわち、この実施の形態では前記冷凍室背面壁体４１の冷却器側冷凍室背面壁板４１２における野菜室側端部をシール面４１２ｂとして、当該シール面４１２ｂに前記冷却ファン１９の冷却ファン設置用冷却室カバー１９ａ下端部を当接させこれら両者間をシールしているので、前記冷却器側冷凍室背面壁板４１２の野菜室側端部を仕切板６後部の冷却室用開口２０の縁部に取付けこの開口縁を冷却ファン設置用冷却室カバー１９ａとの接続シール面とする必要がなくなって、仕切板後部の冷却室用開口２０の前縁を前方に広げて前後幅等を大きなものとすることができる。その結果、当該冷却室用開口２０の下方に位置する冷却器１８もその前後幅等を大きくして大能力化を図り、冷凍能力、すなわち冷蔵庫のさらなる大能力化が可能になる。また、冷却器１８の冷却室１６への組み込みも容易になって生産性も向上する。
【００７８】
さらに、冷凍室背面壁体４１の冷却器側冷凍室背面壁板４１２の野菜室側端部自体をシール面４１２ｂとしているので、前記した冷却器側冷凍室背面壁板４１２の野菜室側端部を仕切板６の冷却室用開口２０の縁部に取付けてこの開口縁を冷却ファン設置用冷却室カバー１９ａとの接続シール面とする場合よりもシール箇所を少なくでき、シール性が向上する。
【００７９】
また、上記した如く冷凍室背面壁体４１の冷却器側冷凍室背面壁板４１２における野菜室側端部をシール面４１２ｂとして、当該シール面４１２ｂに前記冷却ファン１９の冷却ファン設置用冷却室カバー１９ａ下端部を当接させこれら両者間をシールしていても、上記野菜室背面壁体１７の冷却ファン側野菜室背面壁板１７２および冷凍室背面壁体４１は
、いずれの方からでも着脱することができ、着脱順序に制約を受けることがないので、メンテナンス性をより良いものとすることができる。
【００８０】
すなわち、冷却器側冷凍室背面壁板４１２における野菜室側端部のシール面４１２ｂと前記冷却ファン設置用冷却室カバー１９ａの筐体下端部とのシール面は、互いに向かい合うようにして当接しているので、冷却器側冷凍室背面壁板４１２から取り外しても、また冷却ファン１９の冷却ファン設置用冷却室カバー１９ａ側から外しても、互いに相手方が取り外しの邪魔になることがない。したがってどちら側からでも着脱することができ、例えば冷却ファン１９のメンテナンスを行う際にまず冷凍室背面壁体４１を外し次に冷却ファン１９を外すというような制約を受けることがなくなり、メンテナンス性が向上する。
【００８１】
また、前記冷却器側冷凍室背面壁板４１２の野菜室側端部は仕切板６の開口２０内に位置して前記仕切板６の開口２０両側部に形成した仕切シール面６ｃと面一状態となり、前記冷却ファン１９の冷却ファン設置用冷却室カバー１９ａが接するシール面４１２ｂを形成しているので、冷却器側冷凍室背面壁板４１２のシール面４１２ｂとなる野菜室側端部が可動するものであっても、仕切板６の開口２０両側部に設けた仕切シール面６ｃが可動することがないから、シール面を可動する部材で形成した場合に生じがちなシール不良を防止することができ、確実なシールを実現することができる。
【００８２】
また、前記冷却器側冷凍室背面壁板４１２の野菜室側端部で形成したシール面４１２ｂは前後方向の面で形成してあるから、シール部分の前後方向寸法を小さなものとすることができ、上下方向に流動する冷気の流れに支障をきたすことなくシールが行え、機器の小型化も促進することができる。
【００８３】
加えて、前記冷却器側冷凍室背面壁板４１２の野菜室側端部で形成したシール面４１２ｂは冷却器１８のコア部１８ａの上端よりも上方に位置させてあるから、除霜時等に冷却器１８のコア部１８ａに結露水が生じても、これがシール面４１２ｂに滴下するのを防止することができる。これにより、滴下した結露水がシール部で凍結膨張・氷解等を繰り返して生じるシール性の悪化を防止することができ、長期間に亘って良好なシール性を保証することができる。
【００８４】
同様に前記冷却ファン１９にもその冷却ファン設置用冷却室カバー１９ａの前記冷却器側冷凍室背面壁板４１２の野菜室側端部で構成するシール面４１２ｂより上方に位置する部分に水切りリブ１９ｃを設けているので、除霜時等に冷却ファン設置用冷却室カバー１９ａに生じる結露水がシール面４１２ｂに滴下するのを防止することができ、滴下した結露水がシール部で凍結膨張・氷解等を繰り返して生じるシール性の悪化を防止して、長期間に亘り良好なシール性を保証することができる。
【００８５】
一方、前記冷却ファン１９からの冷気を冷蔵室７および冷凍室９に案内する冷却室冷気通路部３０は、これを構成する野菜室背面壁体１７の発泡断熱材１７３の表面に樹脂製の冷却ファン側野菜室背面壁板１７２を配してこれを覆っているので、発泡断熱材１７３をそのまま露出させたものに比べ冷気の流れを円滑なものにすることができると同時に、通路壁体の表面劣化やシール部分での表面劣化による冷気漏れ等を防止することができる。すなわち、樹脂製の板からなる冷却ファン側野菜室背面壁板１７２は、発泡断熱材１７３に比べ精度よく成形できるから、冷却ファン１９と対向する部分の形状を冷気の流れに即した形状に精度よく形成でき、冷気の流れを円滑なものとすることができる。詳細には、冷却ファン１９の円周に配置された羽根より吐出する冷気は冷却ファン側野菜室背面壁板１７２の傾斜面により円滑に円周方向に流され、冷却室冷気通路部３０より上方の冷蔵冷気往き通路３２及びパーシャル室冷気往き通路３２ａと下方の冷凍室冷気通路６２の二方向に分割されて効率よく円滑に流すことができる。加えて、発泡断熱材１７３はその表面に水分が付着するとこれが浸透するため、除霜時等に生じる結露水が浸透してその表面で凍結膨張・氷解を繰り返すことにより表面劣化やシール劣化が生じるが、樹脂製の冷却フ
ァン側野菜室背面壁板１７２は水分が浸透することがないのでこのようなことが発生することがなく、通路壁体の表面劣化やシール部分劣化による冷気漏れ等を確実に防止することができる。
【００８６】
また、前記野菜室背面壁体１７の野菜室側野菜室背面壁板１７１と冷却ファン側野菜室背面壁板１７２のうち冷却ファン側野菜室背面壁板１７２は、冷却ファン１９側に着脱自在に取り付けてあるから、冷却ファン側野菜室背面壁板１７２と冷却ファン設置用冷却室カバー１９ａとの間に形成される冷却室冷気通路部３０のシールを確実かつ強力なものとすることができる。すなわち、上記冷却ファン側野菜室背面壁板１７２と冷却ファン設置用冷却室カバー１９ａとは樹脂で形成しているので、それら両者の接合部は既述した寸法精度の出しやすい樹脂同士の接合となり、冷却ファン設置用冷却室カバー１９ａを野菜室背面壁体１７の発泡断熱材１７３に押し当ててこれら両者間でシールする場合に比べ確実かつ強固なものとすることができるのである。よって、冷却ファン１９から送風される冷気の圧力が最も高くなる冷却室冷気通路部３０のシールを確実かつ強固なものとすることができる。これによって、冷却室冷気通路部３０から低温冷気が漏れて野菜室８等に流れ込み、野菜室８内の野菜の一部を凍結させてしまうというようなことを確実に防止することができる。
【００８７】
また、上記野菜室８は、その背面に冷却室冷気通路部３０が位置していてその部分の低温冷気によって強い冷輻射を受け、この部分が低温化しやすい。しかしながら、前記野菜室背面壁体１７は野菜室側野菜室背面壁板１７１と冷却ファン側野菜室背面壁板１７２との間に発泡断熱材１７３を有しているから、前記冷却室温度帯域からの低温冷気による野菜室８への強い冷輻射を確実に断熱し、野菜室８内での結露発生を抑制することができる。これにより、野菜室８内の野菜を良好な状態で冷却保存することができる。
【００８８】
加えて、前記野菜室背面壁体１７はその野菜室側野菜室背面壁板１７１と冷却ファン側野菜室背面壁板１７２との間に発泡断熱材１７３が位置していて両者が接触しない非接触状態としてあるから、冷却室１６内の低温冷気に曝されて低温となる冷却ファン側野菜室背面壁板１７２の低温が野菜室側野菜室背面壁板１７１に伝導してこれが低温化するのを防止ができ、野菜室側野菜室背面壁板１７１の低温化による結露発生を確実に防止することができる。
【００８９】
さらに、前記野菜室背面壁体１７には冷却室冷気通路部３０から冷蔵室７等への冷気の流れを制御するダンパ３１、３１ａが組み込んであるが、このダンパ３１、３１ａが低温化して結露発生をすることも起こすようなことも防止できる。すなわち、上記ダンパ３１、３１ａは冷却室冷気通路部３０の冷気に曝らされて低温化する冷却ファン側野菜室背面壁板１７２との間にダンパ組み込み用断熱材６１を設けてこれとの間を熱的に遮断、すなわち、ダンパ３１、３１ａと冷却ファン側野菜室背面壁板１７２とを非接触状態としてある。したがって、冷却室冷気通路部３０内の低温冷気に曝されて低温化した冷却ファン側野菜室背面壁板１７２の低温がダンパ３１、３１ａに伝導してこれが低温化するのを防止することができる。よって、冷蔵冷気往き通路３２に繋がっていてこれと同程度の比較的高い温度の冷気と触れているダンパ３１、３１ａが低温化して結露を発生するのを確実に防止することができる。
【００９０】
また、上記のようにして野菜室８内の低温化を抑制していても、この状態が長時間続いくと野菜室８が結露発生しやすい温度まで低下することがあるが、このような場合、この冷蔵庫は制御部６０が野菜室背面の低温帯域と対向する部分に設けた第二のヒータ５０を発熱させる。これにより、低温帯域からの冷輻射による野菜室背面の温度低下は確実に抑制され、結露発生に至るような事態を回避することができる。
【００９１】
また、上記野菜室８は冷凍室９からも冷輻射を受けて低温化しやすいが、この実施の形態では次のような構成によって冷凍室９からの冷輻射の影響を大きく低減している。すな
わち、上記仕切板６は、冷蔵庫本体の内・外箱２，３間に連通する如く装着して冷蔵庫本体成型時に当該冷蔵庫本体１とともにウレタン等の発泡断熱材４を充填させ冷蔵庫本体１と一体化した構成としてある。これにより、仕切板６も冷蔵庫本体１と同様高い断熱性を有するウレタン等の発泡断熱材４によって断熱することができ、その断熱性が大幅に向上する。これにより、冷凍室９から野菜室８への冷輻射量を強力に低減できるのである。また、これと同時に、仕切板６自体の厚みを薄くできるので、その分野菜室８あるいは冷凍室９の容量を増大させることができる。加えてこの実施の形態では野菜室８と冷凍室９とを仕切る仕切板６にも第一のヒータ２３を設けて、前記第二のヒータ５０とともに第一のヒータ２３も発熱させるので、冷凍室９からの冷輻射による影響をより効果的に抑制することができ、野菜室での結露発生による野菜の劣化等を確実に防止することができる。
【００９２】
以上、本発明の実施の形態を説明してきたが、上記実施の形態で説明した構成は本発明を実施する一例として示したものであり、本発明の目的を達成する範囲で種々変更可能なことは言うまでもない。
【００９３】
例えば、この実施の形態では冷却ファン１９を冷却ファン設置用冷却室カバー１９ａに取り付けた構成としたが、冷却ファン１９を冷却室背面側の内箱３に取り付けて固定し、冷却ファン１９の羽根部のみを冷却ファン設置用冷却室カバー１９ａのファン開口部に臨ませる構成としてもよい。
【００９４】
また、この実施の形態では冷却室１６が野菜室８と冷凍室９とに跨ってこれらの背面に位置しているものを例にして説明したが、これは冷蔵室７と冷凍室９とを隣接配置してこれら両者に跨ってその背面に設けられているものであってもよいものであり、温度帯域の異なる二つの貯蔵室に跨って冷却室を設けたものであれば貯蔵室が何であってもよいものである。よって、冷蔵庫の形態も、真ん中野菜タイプの冷蔵庫に限られるものではなく、野菜室が最下部にあってもよく、或いは野菜室のない内冷蔵庫であってもよいものである。
【産業上の利用可能性】
【００９５】
本発明にかかる冷蔵庫は、野菜室内での結露を抑制可能でメンテナンスも良好に行え、かつ冷気の流れも円滑化できると同時に冷却室内の結露による障害発生も抑制でき、高品質で信頼性の高い冷蔵庫とすることができる。よって、家庭用はもちろん業務用冷蔵庫やショーケース等多くの用途に幅広く適用することができる。
【符号の説明】
【００９６】
１  冷蔵庫本体
５，６  仕切板
７  冷蔵室（貯蔵室）
８  野菜室（貯蔵室）
９  冷凍室（貯蔵室）
１６  冷却室
１７  野菜室背面壁体
１８  冷却器
１８ａ  コア部
１９  冷却ファン
１９ａ  冷却ファン設置用冷却室カバー
１９ｂ  冷却ファン側野菜室背面壁板受け片
１９ｃ  水切りリブ
２０  開口（仕切板開口、冷却室用開口）
３０  冷却室冷気通路部（通路部）
３１  冷蔵室ダンパ
４１  冷凍室背面壁体
６１  ダンパ組み込み用断熱材
６２  冷凍室冷気通路
６３  冷凍冷気吹出口
１７１  野菜室側野菜室背面壁板
１７２  冷却ファン側野菜室背面壁板
１７３  発泡断熱材
４１１  冷凍室側冷凍室背面壁板
４１２  冷却器側冷凍室背面壁板
４１２ｂ  シール面
Ｘ  野菜室背面ユニット
Ｙ  冷却ファンユニット
【図１】
0006439133.tif 000002
【図２】
0006439133.tif 000003
【図３】
0006439133.tif 000004
【図４】
0006439133.tif 000005
【図５】
0006439133.tif 000006
【図６】
0006439133.tif 000007
【図７】
0006439133.tif 000008
【図８】
0006439133.tif 000009
【図９】
0006439133.tif 000010
【図１０】
0006439133.tif 000011
【図１１】
0006439133.tif 000012
【図１２】
0006439133.tif 000013
【図１３】
0006439133.tif 000014
【図１４】
0006439133.tif 000015
【図１５】
0006439133.tif 000016
【図１６】
0006439133.tif 000017
【図１７】
0006439133.tif 000018
【図１８】
0006439133.tif 000019
【図１９】
0006439133.tif 000020
【図２０】
0006439133.tif 000021
【図２１】
0006439133.tif 000022
【図２２】
0006439133.tif 000023
【図２３】
0006439133.tif 000024
【図２４】
0006439133.tif 000025
【図２５】
0006439133.tif 000026
【図２６】
0006439133.tif 000027
【図２７】
0006439133.tif 000028
【図２８】
0006439133.tif 000029
【図２９】
0006439133.tif 000030
【図３０】
0006439133.tif 000031
【図３１】
0006439133.tif 000032
【図３２】
0006439133.tif 000033
【図３３】
0006439133.tif 000034
【図３４】
0006439133.tif 000035
【図３５】
0006439133.tif 000036
【図３６】
0006439133.tif 000037
【図３７】
0006439133.tif 000038
【図３８】
0006439133.tif 000039
【図３９】
0006439133.tif 000040
【図４０】
0006439133.tif 000041
【図４１】
0006439133.tif 000042